(57)【要約】【課題】通電状態でダンパーを開放し、電流が遮断されたときに素早く応答してダンパー開閉機構の動作を制御してダンパーを閉成し、非通電状態でダンパーを開放状態に復帰することが可能なダンパー開閉装置を提供することを課題とする。【解決手段】開閉装置１は、プランジャの駆動によりダンパー開閉機構部を動作させるソレノイド５と、ソレノイド５を電気的に制御する開閉回路部１１とを具備して構成されている。そして、通電時にコンデンサ１６ａ，１６ｂに蓄積された電荷が、電流が遮断されたときにソレノイド５に供給され、プランジャが駆動することによってダンパー開閉機構部の動作が制御され、速やかにダンパーが閉成される。これにより、停電時等においても、防火ダンパーが確実に閉成される。また、コンデンサ１６ａ，１６ｂの放電は短時間で終了するため、非通電状態でも、必要に応じてダンパーを初期の開放状態に復帰させることができる。【選択図】        図１
2006187524.tif 000002
【特許請求の範囲】
【請求項１】
一端がダンパー開閉機構部に接続されたプランジャを有し、前記プランジャの駆動に応じて、前記ダンパー開閉機構部を電気的に制御可能なソレノイドと、
外部電源、前記ソレノイド、及び前記プランジャを駆動するための電荷を蓄積可能な蓄電手段をそれぞれ電気的に接続し、前記蓄電手段に前記電荷を蓄積する充電回路及び前記蓄電手段に蓄積された前記電荷を放出する放電回路が形成された開閉回路部と、
前記開閉回路部及び前記外部電源の接続状態に応じ、前記充電回路及び前記放電回路のいずれか一方に切替える継電器と
を具備し、
前記継電器は、
前記開閉回路部及び前記外部電源が電気的に接続した通電状態にあるとき、前記充電回路に切替え、前記蓄電手段に前記電荷を蓄積するとともに、前記開閉回路部及び前記外部電源が電気的に切断されたときに、前記放電回路によって前記蓄電手段に蓄積された前記電荷を放出して前記ソレノイドに供給し、前記ソレノイドの前記プランジャを駆動させ、前記ダンパー開閉機構部を前記プランジャに連動して、前記ダンパーを開放状態から閉成状態にすることを特徴とするダンパー開閉装置。
【請求項２】
前記開閉回路部は、
交流方式の電流を整流し、直流化する整流回路をさらに具備することを特徴とする請求項１に記載のダンパー開閉装置。
【請求項３】
複数の前記蓄電手段が使用され、互いに電気的に並列の状態で配設されていることを特徴とする請求項１または請求項２に記載のダンパー開閉装置。
【発明の詳細な説明】
【技術分野】
【０００１】
本発明は、ダンパー開閉装置に関するものであり、特に、ダンパーの開閉を制御して火災時にダクトを閉鎖し、火炎の伝達及び煙の拡散を防止可能なダンパー開閉装置に関するものである。
【背景技術】
【０００２】
従来から、換気、空調、排気等の種々の目的を有するダクトが、建築物において配設されている。これらのダクトの途中には気体の流通量等を調整するダンパーが設けられ、ダンパーの開閉を制御するダンパー開閉装置が取設されている。例えば、風呂の湿気除去、トイレの臭気除去等を目的とする換気ダクト、オフィスビルディング等において暖気または冷気を循環させて冷暖房する空調用ダクト、火力発電所、石油化学プラント、ごみ焼却場等で蒸気や二酸化炭素等の排出を目的とする排気用ダクト等に設置されたダンパーには、ダンパーの角度や開閉を制御して気体の流通量を調整し、または気体の流通を遮断するダンパー開閉装置が取設されている。また、火災の発生時に、ダクトを介して火炎や煙が別室まで広がることを防止する防火ダンパーには、温度ヒューズ及び弾性体の作用によって、または電気的な制御によって、ダンパーを閉成するダンパー開閉装置が、上記の気体流通量を調整する目的等を併せ持つ形で、あるいは単独の目的で使用されている。
【０００３】
ここで、これらのダンパーの開閉を電気的に制御するダンパー開閉装置の場合、開放状態にあるダンパーを閉成する際に、ダンパー開閉機構を通電によって動作させる方法が一般的である。例えば、建築基準法に適合した防火ダンパーでは、平常時は非通電状態でダンパーの開放状態を維持し、火災発生時に作業者が通電する操作を行うことにより、ダンパー開閉機構を動作させ、ダンパーを閉成させるダンパー開閉装置が用いられている。
【０００４】
しかしながら、火災時に停電したり建物内の電線が損傷を受けた場合、電力が供給されないため、ダンパー開閉機構を動作させることができず、ダンパーを閉成することができない。そこで、閉成時に電力を必要としないダンパー開閉装置として、通電して電気モータによってダンパーを開放する際にコンデンサに電荷を蓄積し、蓄積された電荷を利用し、電流が遮断されたときにダンパーを閉成させるダンパー開閉装置が開示されている。具体的に説明すると、換気扇の開閉とダンパーの開閉を連動させる態様において、換気扇を使用するために電源を投入した際に、リレー作動遅延回路を用いることにより、ダンパーが開き始める時間を所定時間遅らせ、その間にコンデンサに電荷を蓄積させる。そして、換気扇の使用を停止するとき、あるいは、火災発生による停電等により電流が遮断されたときに、コンデンサに蓄積された電荷を放出して直流モータに供給し、直流モータを逆回転させてダンパーを閉成させるものである（例えば、特許文献１参照）。また、開放状態にあるダンパーの開閉機構を電磁チャックによって係止し、電流が遮断されたときに、その電磁的な係止が解除されダンパーが閉成される防火ダンパー開閉装置も実施されている。
【０００５】
【特許文献１】特公昭６３−６０２５号公報
【発明の開示】
【発明が解決しようとする課題】
【０００６】
しかしながら、上記の電気モータによりダンパー開閉機構を動作させるダンパー開閉装置は、換気扇と連動させる態様であるため、換気扇の使用時にのみに通電してダンパーを開放させているが、種々の機器が常時通電した状態で使用されていることが一般的である船舶においては、平常時は通電状態で防火ダンパーが開放され、電流が遮断されたときにダンパーが閉成される方式のダンパー開閉装置の方が、火災発生に伴い停電した場合等においても確実にダンパーが閉成されるため、安全面からも望ましい。この点、上述の電磁チャックによってダンパー開放状態を係止する防火ダンパー開閉装置は、通電状態でダンパーの開放を維持し、電流が遮断されたときに閉成するものではあるが、ダンパーが閉成された後に開放状態に復帰するためには、電磁チャックに再び通電する必要があった。そのため、非通電状態が継続する場合には、電気が復旧するまでダンパーを開放状態へ復帰させることができない問題点があった。さらに、電磁チャックを用いることにより、装置自体が大型となる問題もあった。
【０００７】
また、上記の換気扇とダンパーの開閉を連動させるダンパー開閉装置では、ダンパーを静かに閉成させることを解決課題の一つとしているため、モータの逆回転によりダンパー開閉機構を動作させていた。しかしながら、防火を目的とするダンパー開閉装置においては、被害を未然に防ぐために、静音性よりも速やかに閉成される応答性が要求されていた。したがって、ダンパー開閉機構の動作を制御するために、電気モータよりも応答の速い手段が望まれていた。
【０００８】
そこで、本発明は、上記実情に鑑み、電流が遮断されたときに、ダンパー開閉機構の動作を制御して素早くダンパーを閉成し、かつ、非通電状態でも、ダンパーを初期の開放状態に容易に復帰することが可能なダンパー開閉装置を提供することを課題とするものである。
【課題を解決するための手段】
【０００９】
上記の課題を解決するため、本発明にかかるダンパー開閉装置は、「一端がダンパー開閉機構部に接続されたプランジャを有し、前記プランジャの駆動に応じて、前記ダンパー開閉機構部を電気的に制御可能なソレノイドと、外部電源、前記ソレノイド、及び前記プランジャを駆動するための電荷を蓄積可能な蓄電手段をそれぞれ電気的に接続し、前記蓄電手段に前記電荷を蓄積する充電回路及び前記蓄電手段に蓄積された前記電荷を放出する放電回路が形成された開閉回路部と、前記開閉回路部及び前記外部電源の接続状態に応じ、前記充電回路及び前記放電回路のいずれか一方に切替える継電器とを具備し、前記継電器は、前記開閉回路部及び前記外部電源が電気的に接続した通電状態にあるとき、前記充電回路に切替え、前記蓄電手段に前記電荷を蓄積するとともに、前記開閉回路部及び前記外部電源が電気的に切断されたときに、前記放電回路によって前記蓄電手段に蓄積された前記電荷を放出して前記ソレノイドに供給し、前記ソレノイドの前記プランジャを駆動させ、前記ダンパー開閉機構部を前記プランジャに連動して、前記ダンパーを開放状態から閉成状態にする」ことを特徴として主に構成されている。
【００１０】
ここで、ソレノイドは、電磁コイルに電流が流れて発生した磁気エネルギーにより、プランジャ（可動鉄心）を駆動し、このプランジャの直線運動を利用して外部の機構を機械的に制御するものである。このソレノイドにおけるプランジャの駆動は、応答性に優れ、かつ、構造が単純なために動作が安定している利点を有する。したがって、災害発生時に速やかに確実に動作することが要求される、防火ダンパー開閉装置に適している。加えて、小型のソレノイドを使用しても、短いストロークで比較的大きな推力が得られる等の特徴も有している。
【００１１】
また、蓄電手段は、コンデンサ、マイクロバッテリー等の周知の技術が利用可能である。なお、ダンパーの大きさやダンパー開閉機構の構造により、ダンパーを閉成する動作に必要な力を考慮してソレノイドの種類や大きさを選択し、そのソレノイドを動作させることのできる電荷を蓄積することが可能な容量を有する蓄電手段が使用される。
【００１２】
さらに、継電器は、電磁石を用いて機械的に接点を開閉する機械式リレーや半導体を利用したソリッドステートリレー等が使用可能である。
【００１３】
したがって、本発明のダンパー開閉装置によれば、例えば直流方式の外部電源と開閉回路部とが電気的に接続した通電状態において、外部電源から蓄電手段に電流が流れる充電回路が閉回路となり、ソレノイドのプランジャを駆動するための電荷が蓄電手段に蓄積される。このとき、継電器にも電流が流れているため、継電器の動作により放電回路は閉じず、外部電源からソレノイドへの電流の流入は遮断される。そのため、ソレノイドのプランジャは駆動することはない。そして、平常時は、かかる通電状態が継続される。
【００１４】
その後、手動による電源切断または火災時の停電、電線の損傷等により、外部電源からの電流が遮断されると、継電器への電流も遮断され、継電器の動作により放電回路が閉回路となる。その結果、蓄電手段に蓄積されていた電荷が放出され、ソレノイドに供給される。これにより、ソレノイドの電磁コイルに電流が流れ、磁束が発生してプランジャが駆動する。ここで、プランジャの一端はダンパー開閉機構部に接続されているため、ダンパー開閉機構部の動作がプランジャの動作に連動して制御される。すなわち、電流が遮断されたときに、蓄電手段が通電時に蓄積した電荷が放出され、ソレノイドがその電荷の供給を受けてプランジャを駆動させることにより、ダンパー開閉機構部の動作が制御され、ダンパーが閉成される。したがって、火災発生時の火炎や煙のダクトを介した拡散を防止することが可能となる。また、蓄電手段からの電荷の放出は短時間で終了し、プランジャは動作前の状態に戻るため、非通電状態でも、ダンパーを開放する方向にダンパー開閉機構部を動作させることが可能となる。
【００１５】
さらに、本発明にかかるダンパー開閉装置は、上記構成に加え、「前記開閉回路部は、交流方式の電流を整流し、直流化する整流回路を」具備するものであっても構わない。
【００１６】
ここで、整流回路は、半波整流回路、両波整流回路、ブリッジ整流回路等を使用可能であり、使用する外部電源の電圧と、使用するダイオードの逆耐電圧とを考慮して選択される。また、コンデンサを使用して平滑化することが望ましい。
【００１７】
したがって、本発明のダンパー開閉装置によれば、開閉回路部に整流回路が形成されることにより、交流方式の外部電源を利用可能であり、整流後の直流電流により蓄電手段に電荷が蓄積され、その電荷がソレノイドに供給されることによりダンパー開閉機構が制御され、ダンパーが開閉される。また、直流電源を使用した場合は、直流電流は整流回路をそのまま通過して充電回路に流入する。すなわち、直流電源及び交流電源のいずれも使用可能となる。
【００１８】
さらに、本発明にかかるダンパー開閉装置は、上記構成に加え、「複数の前記蓄電手段が使用され、互いに電気的に並列の状態で配設されている」ものであっても構わない。
【００１９】
ここで、蓄電手段が一つである場合は、その蓄電手段が損傷を受けると、ソレノイドを動作させるために充分な電荷が供給されない。これに対し、複数の蓄電手段が並列に接続されていれば、火災発生等の非常時に何れかの蓄電手段が損傷を受けても、残存する蓄電手段に蓄積された電荷によってソレノイドのプランジャを駆動させ、ダンパー開閉機構部を制御することが可能となる。
【００２０】
また、ダンパー開閉装置によって開閉が制御されるダンパーは、設置するダクトのサイズや形状に応じて様々であり、ダンパー羽根は一対に限定されず、数組の羽根を用いて数段構成としているものも使用されている。その場合は、複数の羽根を連結具によって連動させ、一のダンパー開閉装置によって数組の羽根の開閉が制御されている。したがって、ダンパーの構造によっては、ダンパー開閉機構部を動作させるために必要な機械エネルギーは大きなものとなり、電気エネルギーをプランジャの駆動による機械エネルギーに変換しダンパー開閉機構部の動作を制御するソレノイドも、大きな電気エネルギーを必要とする。その結果、ソレノイドに電荷を供給する蓄電手段も、蓄電可能な容量の大きなものが必要となる。このとき、蓄電手段としてコンデンサを使用した場合、一のコンデンサによって大容量をまかなおうとすると、使用するコンデンサのサイズが大きくなり、これに伴ってダンパー開閉装置自体も大型となる。これに対して、複数のコンデンサを使用し、それぞれの容量の合計でまかなうこととすれば、各コンデンサは小型のもので足り、ダンパー開閉装置が大型化することを防止することが可能となる。
【００２１】
したがって、本発明のダンパー開閉装置によれば、複数の蓄電手段が並列に接続されることにより、何れかの蓄電手段が火災時等に損傷を受けた場合でも、残存した蓄電手段からソレノイドに電荷が供給されてプランジャが駆動し、確実にダンパー開閉機構部を制御してダンパーを閉成させる。また、複数の蓄電手段によって蓄電可能な電荷の総容量が増加し、より大きな電気エネルギーをソレノイドに供給してプランジャを駆動させるため、ダンパーを閉成するためにダンパー開閉機構部が要する機械エネルギーがより大きな場合にも対応することが可能となる。
【発明の効果】
【００２２】
本発明の効果として、通電状態において蓄電手段に電荷を蓄積し、蓄積された電荷を利用して、電流が遮断されたときにダンパー開閉機構部を動作させるダンパー開閉装置において、ダンパー開閉機構部の動作をソレノイドのプランジャを用いて制御することにより、プランジャの素早い応答によってダンパーを速やかに閉成する。また、非通電状態でも、再びダンパーを開放状態へ復帰させることが可能となる。
【発明を実施するための最良の形態】
【００２３】
以下、本発明の一実施形態であるダンパー開閉装置１（以下、「開閉装置１」と称する）について、図１乃至図４に基づいて説明する。ここで、図１は通電状態での開閉装置１の構成を示す回路図であり、図２は非通電状態での開閉装置１の構成を示す回路図であり、図３は開閉装置１を使用したダンパー開閉器２の概略構成を示す説明図であり、図４は開閉装置１の使用状態を示す説明図である。ここで、本実施形態の開閉装置１は、主に船舶内に設置される防火用のダンパー開閉器２に使用されるものについて例示する。
【００２４】
本実施形態の開閉装置１は、図１乃至図３に示されるように、ダンパー開閉機構部３に一端が接続されたプランジャ４を有するソレノイド５と、ソレノイド５を電気的に制御してプランジャ４を駆動させることにより、ダンパー開閉機構部３の動作を制御する開閉回路部１１とを主に具備して構成されている。
【００２５】
さらに詳細に説明すると、開閉回路部１１は、図１及び図２に示すように、外部電源１２から外部電源入力端子１３に印加された交流電圧を直流電圧に変換する整流回路１４と、整流された直流電流を整流回路出力端子１５を介してコンデンサ１６ａ，１６ｂに流し、該コンデンサ１６ａ，１６ｂに電荷を蓄積する充電回路２０と、及び蓄積された電荷をコンデンサ１６ａ，１６ｂから放出しソレノイド５に供給する放電回路２１とによって主に構成されている。そして、外部電源１２と開閉回路部１１との接続状態により、充電回路２０及び放電回路２１のいずれか一方に切替える継電器２５をさらに具備している。なお、コンデンサ１６ａ，１６ｂが本発明における蓄電手段に相当する。
【００２６】
ここで、外部電源１２は、２４Ｖの交流電源を使用し、整流回路１４は、ダイオードブリッジ３０を用いた全波整流回路に平滑化コンデンサ３１を電気的に並列に接続したコンデンサ入力形平滑回路としている。
【００２７】
また、ソレノイド５は、吸引タイプのオープンフレーム角型直流ソレノイドを使用している。これは、各種のソレノイドの中でも構造がごく簡単なもので、小型、軽量で比較的大きな吸引力（数ｋｇ程度）を発揮する。この吸引力は、プランジャと固定鉄心の形状等により異なるため、より大きな吸引力を必要とする場合は、ソレノイドの種類や大きさを考慮し、丸型ソレノイド等も使用可能である。ただし、永久磁石を内蔵した自己保持型直流ソレノイドは、いったん固定鉄心に吸引されたプランジャは、電流が遮断されてもその状態を保持し、非通電状態においてダンパー開閉機構部３を初期状態に戻すことができないため、本実施形態の開閉装置１に使用することはできない。また、火災によって温度が上昇すると、ソレノイド内のコイルの抵抗値の変化によりプランジャを吸引する力が低下するため、これを考慮して、ダンパー開閉機構部３を動作させるために必要となるプランジャ４の吸引力を設定し、その吸引力に応じたソレノイドが選択される。
【００２８】
さらに、コンデンサ１６ａ，１６ｂは、相互に電気的に並列に接続された２個の電解コンデンサ（容量２２００μＦ、耐電圧３５Ｖ）を使用し、それぞれが整流回路出力端子１５に接続されている。同時に、コンデンサ１６ａ，１６ｂへの過電流を防止するために、整流回路出力端子１５とコンデンサ１６ａ，１６ｂとの間に保護抵抗３３（抵抗１００Ω）が設けられている。
【００２９】
また、継電器２５は、電磁石を用いて機械的に接点２５ｓを開閉する機械式のものが使用され、継電器２５に電流が流れたときに接点２５ｓが開き、継電器２５への電流が遮断されたときに接点２５ｓが閉じるよう接続されている。すなわち、充電回路２０に電流が流れコンデンサ１６ａ，１６ｂに電荷が蓄積され、かつ、ソレノイド５には電流が流れない状態から、放電回路２１を閉回路として、コンデンサ１６ａ，１６ｂからソレノイド５に電流が流れる状態へ、外部電源１２と開閉回路部１１との電気的な接続状態に応じて切替える動作を行う。このとき、コンデンサ１６ａ，１６ｂに蓄積された電荷が、放電回路２１ではなく充電回路２０の方へ流入することを防止するために、ダイオード３６が、充電回路２０においてカソード側をコンデンサ１６ａ，１６ｂの正極側と直列に接続されている。
【００３０】
さらに、ダンパー開閉機構部３は、図３及び図４に示すように、ダンパー軸４０と、ダンパー軸４０を手動により回転させるための手動レバー４１と、ダンパー軸４０の回転によってダンパー４５の角度を変化させ、ダクト内を流通する風量を調整するための風量調整板４７と、ダンパー軸４０を付勢するためのバネ４８と、ダンパー軸４０を手動レバー４１に貫通させるための中空状の取付具４９と、該取付具４９に取設された係止爪５０と、該係止爪５０と係合する係止受部５１を有する係止板５２と、ソレノイド５のプランジャ４の先端と接合した連結板５３と、係止板５２と連結板５３を連結し、係止爪５０と係止受部５１の係合によりダンパー軸４０を所定の回転位置で係止し、プランジャ４が駆動したときに係止爪５０と係止受部５１の係合を解除する複数の係止板５５，５６、係止板軸５５ａ，５６ａ、及び係止板用バネ５８とを主に具備して構成されている。
【００３１】
ここで、本実施形態の開閉装置１が使用されるダンパー開閉器２は、開閉装置１と上記のダンパー開閉機構部３とによって主に構成され、手動レバー４１、風量調整板４７等を除いた部分は函体６５に収納され、複数の蓋６６ａ，６６ｂ等で覆われている。また、ダクトの途中に接続されるダンパー・ケーシング７０の側面にダンパー開閉器２を設置するために、函体６５の底部側面にＬ字型取付具７１が取設されている。なお、図３は、説明を簡略化するため、ソレノイド５及び係止板５２，５５，５６等を覆う部分の蓋（図示しない）は取り外した状態で図示してある。また、ダンパー開閉器２において、開閉装置１の開閉回路部１１を形成するコンデンサ１６ａ，１６ｂ、ダイオードブリッジ３０、継電器２５、ダイオード３６等の各部品は、電子基板２６上に配設されている。そして、ソレノイド５への出力用のリード線７２は、電子基板２６上で開閉回路部１１と電気的に接続されている。
【００３２】
さらに、図４に示すように、開閉装置１を使用したダンパー開閉器２がダンパー・ケーシング７０の側面に設置された状態において、ダンパー軸４０は軸受７３に嵌合され、ダンパー軸４０が回転することによりダンパー４５が開閉する。したがって、ダンパー開閉機構部３の動作を制御し、ダンパー軸４０の回転を制御することにより、ダンパー４５の開閉を制御することが可能となる。
【００３３】
次に、本実施形態の開閉装置１の使用方法について述べる。まず、図１を用いて通電状態における動作を説明する。外部スイッチ７５のＯＮ操作により、外部電源１２から外部電源入力端子１３に交流電圧が印加されると、整流回路１４を経て交流から直流に整流され、整流回路出力端子１５に直流電圧が印加される。これにより、コンデンサ１６ａ，１６ｂに直流電流が流れ、これらのコンデンサ１６ａ，１６ｂに電荷が蓄積される。この電荷の蓄積の際、コンデンサ１６ａ，１６ｂに向かう過電流が保護抵抗３３により防止される。このとき、継電器２５内の電磁石（図示しない）にも電流が流れているため、接点２５ｓにおける金属片（図示しない）が電磁石に吸引され、接点２５ｓは開いている。したがって、放電回路２１は閉じておらず、ソレノイド５に電流は流れないため、コンデンサ１６ａ，１６ｂにおける電荷の蓄積が維持される。
【００３４】
この通電状態にあるとき、ダンパー４５は予め開放された状態にセットされている。すなわち、図３に示すように、ダンパー軸４０に取設された係止爪５０と係止板５２の係止受部５１は係合している。また、このとき、手動レバー４１の操作によって、バネ４８に抗してダンパー４５を開放しているため、該バネ４８によってダンパー軸４０はダンパー４５を閉成する方向に付勢された状態である。この時点ではソレノイド５には電流は流れておらずプランジャ４は作動していないため、係止板用バネ５８によって、プランジャ４はソレノイド５のコイル５ａ内から引き出された状態にある。これにより、係止板軸５６ａ周りに回動自由に取設されている係止板５６は、プランジャ４及び連結板５３に連動して所定位置で停止する。このとき、係止板５２を係止板５５に連結する係止板軸５５ａに取設されたバネ（図示しない）に抗して係止爪５０と係止受部５１とが係合し、この係合状態が、係止板軸５６ａの下部に形成され係止板５６の回動に伴って回動する係止部５６ｂによって、係止板５２の係止受部５１が形成された端部に相対する他端が係止されることによって保持されている。
【００３５】
その後、火災等の発生に伴う停電や電線の断線あるいは外部スイッチ７５のＯＦＦ操作により、外部電源１２から開閉回路部１１への電流が遮断されると、図２に示すように、継電器２５への電流も遮断されるため、接点２５ｓが閉じ、コンデンサ１６ａ，１６ｂとソレノイド５を接続する放電回路２１が閉回路となる。このとき、充電回路２０側への電流の流入は、ダイオード３６によって防止されるため、コンデンサ１６ａ，１６ｂに蓄積された電荷はソレノイド５に流れる。これにより、ソレノイド５のコイル５ａに電流が流れて磁束が発生し、プランジャ４はソレノイド５の固定鉄心５ｂに磁気吸引される。なお、図２では、外部スイッチ７５のＯＦＦ操作により電流が遮断された状態を図示している。
【００３６】
上記のプランジャ４の駆動により、プランジャ４に接続された連結板５３もソレノイド５に向かって引っ張られる。これに伴って、連結板５３と連結された係止板５６が係止板軸５６ａ周りに反時計回りに回動し、係止部５６ｂによる係止板５２の係止が外れる。その結果、係止板５２の係止受部５１とダンパー軸４０の係止爪５０との係合が外れ、ダンパーを閉成する方向に付勢されていたダンパー軸４０は、バネ４８の復元力によって勢いよく回転し、ダンパー４５が閉じられる。
【００３７】
上述のソレノイド５の放電は短時間（数秒程度）で終了するため、プランジャ４は連結板５３を引っ張るよう動作した後、ソレノイド５における磁束の消失により、すぐに固定鉄心５ｂによる磁気吸引から開放され、係止板用バネ５８に引っ張られ、再びソレノイド５のコイル５ａ内から引き出された状態に戻る。したがって、必要に応じて、再び係止板５２の係止受部５１とダンパー軸４０の係止爪５０を係合させ、ダンパー４５を開放状態に復帰させることができる。すなわち、停電や電線の断線により非通電状態が継続する場合でも、ダンパー４５を初期の開放状態に手動によって復帰させることが可能である。
【００３８】
したがって、上記に説明したように、本実施形態の開閉装置１によれば、通電時にコンデンサ１６ａ，１６ｂに蓄積された電荷を、電流が遮断されたときに放出し、ソレノイド５に供給してプランジャ４を駆動し、このプランジャ４の駆動に連動させてダンパー開閉機構部３を制御し、ダンパー４５を閉成することができる。このように、通電状態でダンパー４５を開放し、電流が遮断されたときにダンパー４５を閉成する開閉装置１は、一般的に種々の機器が常時通電された状態である船舶において、ダンパーの開閉を制御するものとして適している。さらに、火災発生時に停電や電線の断線等が生じた場合であっても、確実にダンパー４５を閉成することが可能であるため、防火対策上も望ましい態様である。また、ソレノイド５のプランジャ４の素早い応答によって速やかにダンパー４５を閉成するため、火炎や煙のダクトを介した拡散を効果的に防止することができる。
【００３９】
加えて、複数のコンデンサ１６ａ，１６ｂを使用することにより、何れかが火災時等に損傷を受けた場合でも、残存したコンデンサ１６によってソレノイド５に電荷を供給し、プランジャ４の駆動によって確実にダンパー開閉機構部３を制御し、ダンパーを４５を閉成させることができる。さらに、並列に接続するコンデンサ１６の数をさらに増やすことにより、開閉装置１が大型化するのを防止しつつ蓄電可能な総容量を増加させることが可能となり、より大きな電気エネルギーをソレノイド５に供給し、より大きな機械エネルギーによってダンパー開閉機構部３を制御することができる。
【００４０】
さらに、従来型の電気モータを使用した防火ダンパー開閉装置（非通電状態で開放、通電して閉成）に対して、ごく簡単な設計変更を行い、電気モータをソレノイドに替え、電気回路にコンデンサ等を付加することにより、本実施形態の開閉装置１（通電状態で開放、電流の遮断により閉成）を構成することができ、従来型のダンパー開閉装置の製造用の型等もそのまま使用可能である利点も有する。
【００４１】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００４２】
例えば、防火ダンパーの開閉装置は、温度ヒューズを備え、ダクト内の温度上昇による温度ヒューズの溶融にダンパー開閉機構を連動させ、ダンパーを閉成するものが一般的に実施されている。このような開閉装置において、温度ヒューズが溶融したときにプランジャがソレノイドのコイル内に押し込まれるように、温度ヒューズ及びダンパー開閉機構部を構成することにより、プランジャの駆動によりダンパーの開閉を制御する本実施形態の開閉装置１の構成をそのまま利用することができる。これにより、外部電源からの電流が遮断されることがなくても、火災発生による温度上昇を感知してダンパー開閉装置が自動的に動作し、防火ダンパーを閉成させることが可能となる。したがって、開閉装置がダンパーを閉成するにあたり、停電や電線の断線あるいは作業者による外部電源のＯＦＦ操作による場合と、温度ヒューズによる場合との二通りの手段を有することとなり、防火対策上より効果的なものとなる。
【００４３】
また、煙感知器をさらに具備し、煙感知器が火災等による煙を感知したときに、外部スイッチが切られるように接続することにより、防火防煙ダンパーの開閉装置としても有効に使用することが可能となる。
【００４４】
さらに、整流回路出力端子に発光ダイオードを接続し、通電状態すなわちダンパーが開放状態にあるときは点灯し、電流が遮断されたときすなわちダンパーが閉成状態にあるときは消灯するパイロットランプとすることにより、各種プラント等において縦横に配設されるダクトにおけるダンパーの開閉状態を作業者が視覚的に認識し、ダンパー開閉装置を利用して集中管理することも可能となる。
【００４５】
なお、ダンパー開閉機構部の係止板、係止板軸等の機械的構成は、本実施形態で示したものに限定されず、プランジャの駆動によってダンパー軸の回転を制御可能な構成が使用可能である。また、本実施形態では交流電源を使用する場合を示したが、もちろん直流電源も使用可能である。
【図面の簡単な説明】
【００４６】
【図１】通電状態での開閉装置の構成を示す回路図である。
【図２】非通電状態での開閉装置の構成を示す回路図である。
【図３】開閉装置を使用したダンパー開閉器の概略構成を示す説明図である。
【図４】開閉装置の使用状態を示す説明図である。
【符号の説明】
【００４７】
１  開閉装置（ダンパー開閉装置）
３  ダンパー開閉機構部
４  プランジャ
５  ソレノイド
１１  開閉回路部
１２  外部電源（交流電源）
１４  整流回路
１６ａ，１６ｂ  コンデンサ（蓄電手段）
２０  充電回路
２１  放電回路
２５  継電器
４５  ダンパー
【図１】
2006187524.tif 000003
【図２】
2006187524.tif 000004
【図３】
2006187524.tif 000005
【図４】
2006187524.tif 000006